【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
少なくとも第１前躯体と少なくとも第２前躯体とを１つに混合し、連続流路内においてチューブを下流に移動する前躯体の混合物を形成し；
前記前躯体の混合物のセグメント間にパーティションを生成し、これにより、前記前躯体の混合物が前記チューブ内において前記流路を下流に移動する際に、セグメント内で前記前躯体の混合物が混合されるように、前記流路が前記第１エネルギー源に進入する前に不混和性物質のプラグを連続流路内の前記混合物に挿入し；
前記前躯体の混合物にマイクロ波エネルギーを印加する第１エネルギー源を通じて前記連続流路を延在させ、第１エネルギーレベルにおいて第１持続時間にわたって前記チューブ内の前記前躯体の混合物を均一に活性化し、これにより、前記前躯体の混合物の均一な核生成を可能にし；  
制御された温度において第２持続時間にわたって加熱源を通じて前記連続流路を延在させ、予め形成された核の周囲における均一な熱力学的成長を可能にして望ましいコアサイズのナノ粒子を形成し；そして、
前記ナノ粒子の前記成長を急冷して停止することを含む、均一サイズのナノ粒子を生成する方法。
【請求項２】
前記マイクロ波エネルギーは、単一モード、マルチモード、又はマルチ可変周波数である請求項１に記載の方法。
【請求項３】
不混和性物質のプラグの前記混合物への挿入が、加圧されたガスを前記連続流路内に提供することを含む請求項１に記載の方法。
【請求項４】
前記不混和性物質は、前記マイクロ波エネルギー、前記前躯体、及び前記ナノ粒子に対して不活性且つ非反応性である請求項１に記載の方法。
【請求項５】
前記不混和性物質は、窒素及びアルゴンからなる群から選択される請求項４に記載の方法。
【請求項６】
前記第１持続時間は、６０秒以下である請求項１に記載の方法。
【請求項７】
センサ、アクチュエータ、及びコンピュータシステムに動作可能に接続された制御システムを更に含み、前記センサは、生成されるナノ粒子の品質を監視し、且つ、前記制御システムは、前記生成されるナノ粒子の検出品質に応答して、前記第１持続時間、第１エネルギーレベル、第２持続時間、及び温度を調節するべく、前記アクチュエータを変調する請求項１に記載の方法。
【請求項８】
群Ｂ及びＣからの、異なるマイクロ波吸収断面を有する、２つ以上の前躯体の混合物は、前記前躯体が、前記エネルギー源を通じて移動しながら実質的に同一の速度で群Ａの前躯体と核を形成する方法により、前記マイクロ波と相互作用する請求項１に記載の方法。
【請求項９】
前記第１持続時間における前記第１及び第２前躯体の前記核生成は、実質的に均一なナノ粒子を生成する請求項８に記載の方法。
【請求項１０】
連続プロセスを使用し、本明細書における群Ａからの少なくとも第３前躯体及び本明細書における群Ｂ及び群Ｃからの第４前躯体の混合物に前記ナノ粒子を曝露させる工程と；
熱源内において前記曝露されたナノ粒子を加熱し、前記ナノ粒子の周囲に第１シェルを形成する工程と；
を更に含む請求項１に記載の方法。
【請求項１１】
連続プロセスを使用し、少なくとも、少なくとも第５前躯体及び第６前躯体の混合物に前記ナノ粒子を曝露させる工程と；
前記曝露されたナノ粒子を熱源内において加熱し、前記ナノ粒子の周囲に２つの層を有する第２シェルを形成する工程と；
を更に含む請求項１０に記載の方法。
【請求項１２】
連続プロセスを使用し、少なくとも本明細書における群Ａからの第５前躯体及び本明細書における群Ｂ又は群Ｃからの第６前躯体の混合物に前記ナノ粒子を曝露させる工程と；
前記曝露されたナノ粒子を補完的熱源によって加熱し、前記ナノ粒子の周囲に２つの層を有するシェルを形成する工程と；
を更に含む請求項１１に記載の方法。
【請求項１３】
連続プロセスを使用し、少なくとも本明細書における群Ａからの第７前躯体及び本明細書における群Ｂ又は群Ｃからの第８前躯体の混合物に前記ナノ粒子を曝露させる工程と；
前記曝露された粒子を加熱源内において加熱し、前記ナノ粒子の周囲に３つの層を有するシェルを形成する工程と；
を更に含む請求項１２に記載の方法。
【請求項１４】
前記ナノ粒子の前記成長を急冷して停止させる前記工程の後に、前記混合物から前記プラグを取り除く工程を更に含む請求項５に記載の方法。
【請求項１５】
前記チューブは、１／１６インチ〜１インチの内径を有する請求項１に記載の方法。
【請求項１６】
前記ナノ粒子を第３前躯体及び第４前躯体の混合物に曝露する；そして
前記第３及び第４前躯体の前記混合物に熱を印加し、前記ナノ粒子の周囲にシェル層を形成する；
ことを更に含む請求項１に記載の方法。
【請求項１７】
前記第１前躯体は、群Ａ手段からなる群から選択される請求項１に記載の方法。
【請求項１８】
前記第２前躯体は、群Ｂ手段及び群Ｃ手段からなる群から選択される請求項１７に記載の方法。
【請求項１９】
前記第３前躯体は群Ａ手段からなる群から選択され、そして、第４前躯体は群Ｂ手段及び群Ｃ手段からなる群から選択される請求項１８に記載の方法。
【請求項２０】
前記マイクロ波エネルギーは、前記第１及び第２前躯体が実質的に同時に核生成し、これにより、実質的に均質なナノ粒子を生成するようにする周波数において動作する請求項１に記載のナノ粒子。
【請求項２１】
流路に沿って前駆体混合物のセグメント化されたフローを提供するために、前記流路への前記前駆体混合物に不混和性物質のプラグを挿入する挿入器と；
エネルギー源であって、前記流路が前記エネルギー源を通じて延在するのに伴って、前記混合物から核生成し、これにより、核を生成するエネルギー源と；
加熱源ユニットであって、前記流路が前記加熱源ユニットを通じて延在するのに伴って、前記核を成長させ、これにより、前記核をナノ粒子に成長させる加熱源ユニットと；
急冷器であって、前記流路が前記急冷器を通じて延在するのに伴って、前記ナノ粒子を冷却し、これにより、前記ナノ粒子の成長を停止させる急冷器と；
前記プラグを前記ナノ粒子から分離する分離器と；
を含む連続フローセル反応器。
【請求項２２】
前記エネルギー源は、マイクロ波である請求項２１に記載の連続フローセル反応器。
【請求項２３】
前記マイクロ波は、マルチモードマイクロ波、単一モードマイクロ波、又はマルチ可変周波数マイクロ波である請求項２２に記載の連続フローセル反応器。
【請求項２４】
少なくとも第１前躯体と少なくとも第２前躯体とを混合し、連続流路内においてチューブを下流に移動する前躯体の混合物を形成し；
前記前躯体の混合物にエネルギーを印加する第１エネルギー源を通じて前記連続流路を延在させ、６０秒以下の第１持続時間にわたって前記チューブ内の前記前躯体の混合物を均一に活性化し、これにより、前記前躯体の混合物の均一な核生成を可能にし；
制御された温度において第２持続時間にわたって第２加熱ユニットを通じて前記連続流路を延在させ、先に形成された核の周囲における均一な熱力学的成長を可能にして望ましいコアサイズのナノ粒子を形成し；そして
前記ナノ粒子の前記成長を急冷して停止させること
を含む、均一サイズのナノ粒子を製造する方法。
【請求項２５】
前記第１エネルギー源は、マイクロ波エネルギーを印加する請求項２４に記載の方法。
【請求項２６】
マイクロ波エネルギーは、単一モード、マルチモード、又はマルチ可変周波数である請求項２５に記載の方法。
【請求項２７】
前記流路が前記第１エネルギー源に進入する前に、前記前躯体の混合物に不混和性物質のプラグを挿入する工程を更に含む請求項２４に記載の方法。
【請求項２８】
前記不混和性物質は、マイクロ波エネルギー、前記前躯体、及び前記ナノ粒子に対して不活性且つ非反応性である請求項２７に記載の方法。
【請求項２９】
前記不混和性物質は、窒素及びアルゴンからなる群から選択される請求項２８に記載の方法。
【請求項３０】
センサ、アクチュエータ、及びコンピュータシステムに動作可能に接続された制御システムを更に含み、前記センサは、生成されるナノ粒子の品質を監視し、且つ、前記制御システムは、前記生成されるナノ粒子の検出品質に応答して、前記第１持続時間、第１エネルギーレベル、第２持続時間、及び制御温度を調節するべく、前記アクチュエータを変調する請求項２４に記載の方法。
【請求項３１】
群Ｂ及びＣからの、異なるマイクロ波吸収断面を有する、２つ以上の前躯体の混合物は、前記第１エネルギー源を移動しながら、実質的に同一の速度で、群Ａの前躯体と核を形成する仕方で前記マイクロ波と相互作用する請求項２５に記載の方法。
【請求項３２】
前記第１持続時間における前記第１及び第２前躯体の前記核生成は、実質的に均一なナノ粒子をもたらす請求項３１に記載の方法。